(57)【特許請求の範囲】
【請求項１】
それぞれが乗員に情報を提示する複数の提示部と、
乗員に提示する複数の情報が同時期又は異なる時期に入力される入力部と、
前記入力部に入力される情報毎に、優先度と、前記複数の提示部の中で当該情報の提示先となる対象提示部との関係を規定した第１のテーブルと、
前記複数の情報についてのパターン毎に、各情報についての優先度及び前記対象提示部に応じた情報の提示方法を規定した第２のテーブルと、
前記第１のテーブルと前記第２のテーブルとに基づいて、前記入力部に入力された情報を提示する制御部と、を有し、
前記制御部は、前記複数の情報の入力態様と、個々の情報についての前記優先度及び前記対象提示部とに基づいて、前記入力部に入力された前記複数の情報についての提示方法をそれぞれ決定すると共に、前記第２のテーブルから提示態様を決定し、
前記提示態様は、最も優先度の高い情報についての通常の提示態様と、優先度の低い情報についての通常よりも簡易な表現による提示態様とを含むことを特徴とする車両用情報提示装置。
【請求項２】
前記複数の情報が前記入力部に同時期に入力された場合には、
前記制御部は、最も優先度の高い情報については、前記第１のテーブルに規定の内容に則った提示方法を決定し、優先度の低い情報については、当該情報の前記優先度及び前記対象提示部に基づいて提示方法を決定し、当該決定した提示方法に従って情報を提示することを特徴とする請求項１に記載された車両用情報提示装置。
【請求項３】
前記入力部に情報が入力された際に、当該情報よりも先行して前記入力部に入力した情報についての情報提示がなされている場合には、
前記制御部は、前記優先度及び前記対象提示部に基づいて２つの情報の提示方法を決定し、当該決定した提示方法に従って情報提示を行うことを特徴とする請求項１に記載された車両用情報提示装置。
【請求項４】
前記提示方法は、最も優先度の高い情報については提示し、優先度の低い情報については提示しないことを含むことを特徴とする請求項１〜３の何れか１項に記載された車両用提示装置。
【発明の詳細な説明】
【技術分野】
【０００１】
本発明は、車両用情報提示装置に関する。
【背景技術】
【０００２】
従来より、安全で快適な運転ができるように、車両の乗員に対して種々の情報を提示する車両用情報提示装置が知られている。
【０００３】
例えば特許文献１には、車両各部及び車両周囲の状況を検出する報知情報送信装置から入力される情報（報知要求情報）に応じて、当該情報を表示部に表示させる報知制御装置が開示されている。報知制御装置は、複数の情報が入力された場合には、情報の優先度を規定したテーブルに従って最も優先度の高い情報を表示部に優先して表示することとしている。また、最も優先度の高い情報以外の情報については、情報そのものを表示することはしないものの、情報の入力があることをユーザが認識できるような表示を行っている。
【０００４】
また、例えば特許文献２には、車両用情報報知装置が開示されている。この装置では、車両内に第１の情報が生成されたときに、車両内に第２の情報が生成されているときは、第１の情報及び第２の情報に含まれる報知優先度に応じて、第１の情報及び第２の情報のいずれかを優先して報知する情報の調停、第１の情報及び第２の情報を合わせて報知する情報の統合、及び第１の情報及び第２の情報を未処理のまま報知する未対処のいずれかを行う。
【先行技術文献】
【特許文献】
【０００５】
【特許文献１】特開２００７−３２０４５１号公報
【特許文献２】特開２０１０−１７９７８３号公報
【発明の概要】
【発明が解決しようとする課題】
【０００６】
しかしながら、特許文献１，２に開示された手法によれば、複数の情報が入力したタイミングや、個々の情報の優先度、当該情報の提示先となる対象提示部といった要素が十分に考慮されておらず、必要な情報が乗員に提示されない可能性がある。
【０００７】
本発明はかかる事情に鑑みてなされたものであり、その目的は、車両の乗員に対して必要な情報を適切に提示することができる車両用情報提示装置を提供する。
【課題を解決するための手段】
【０００８】
かかる課題を解決するために、本発明は、それぞれが乗員に情報を提示する複数の提示部と、乗員に提示する複数の情報が同時期又は異なる時期に入力される入力部と、入力部に入力される情報毎に、優先度と、複数の提示部の中で当該情報の提示先となる対象提示部との関係を規定した第１のテーブルと、複数の情報についてのパターン毎に、各情報についての優先度及び対象提示部に応じた情報の提示方法を規定した第２のテーブルと、第１のテーブルと第２のテーブルとに基づいて、入力部に入力された情報を提示する制御部と、を有し、制御部は、複数の情報の入力態様と、個々の情報についての前記優先度及び対象提示部とに基づいて、入力部に入力された複数の情報についての提示方法をそれぞれ決定すると共に、第２のテーブルから提示態様を決定し、提示態様は、最も優先度の高い情報についての通常の提示態様と、優先度の低い情報についての通常よりも簡易な表現による提示態様とを含む。
【０００９】
ここで、本発明において、複数の情報が入力部に同時期に入力された場合には、制御部は、最も優先度の高い情報については、第１のテーブルに規定の内容に則った提示方法を決定し、優先度の低い情報については、当該情報の優先度及び対象提示部に基づいて提示方法を決定し、当該決定した提示方法に従って情報を提示することが好ましい。
【００１０】
また、本発明において、入力部に情報が入力された際に、当該情報よりも先行して入力部に入力した情報についての情報提示がなされている場合には、制御部は、優先度及び対象提示部に基づいて２つの情報の提示方法を決定し、当該決定した提示方法に従って情報提示を行うことが好ましい。
【００１２】
また、本発明において、提示方法は、最も優先度の高い情報については提示し、優先度の低い情報については提示しないことを含むことが好ましい。
【発明の効果】
【００１３】
本発明によれば、車両の乗員に対して必要な情報を適切に提示することができる。
【図面の簡単な説明】
【００１４】
【図１】第１の実施形態に係る車両用情報提示装置の構成を示すブロック図
【図２】優先度テーブルの一例を示す説明図
【図３】提示方法選択テーブルの一例を示す説明図
【図４】本実施形態に係る車両用情報提示装置の情報提示に関する処理を示すフローチャート
【図５】第２の実施形態に係る情報の提示方法を示す説明図
【図６】第２の実施形態に係る情報の提示方法を示す説明図
【図７】第２の実施形態に係る情報の提示方法を示す説明図
【発明を実施するための形態】
【００１５】
（第１の実施形態）
図１は、本実施形態に係る車両用情報提示装置１の構成を示すブロック図である。本実施形態に係る車両用情報提示装置１は、車両の乗員（典型的にはドライバ）に各種の情報の提示を行う装置である。
【００１６】
この車両用情報提示装置１は、制御部１０、記憶部１１と、入力部１２と、ＨＵＤ（Head-Up Display）１３と、ＭＩＤ（Multi Information Display）１４とを主体に構成されている。本実施形態において、車両用情報提示装置１は、ＨＵＤ１３と、ＭＩＤ１４とからなる２つの提示部（表示部）を備え、これら２つの提示部を通じてドライバに情報を提示する。
【００１７】
制御部１０は、車両用情報提示装置１全体の制御を司るものであり、ＣＰＵ、ＲＯＭ、ＲＡＭ、Ｉ／Ｏインターフェースを主体に構成されたマイクロコンピュータを用いることができる。ＣＰＵは、制御プログラムに従い、各種の制御を行う。ＲＯＭは、ＣＰＵが実行するプログラム、又はそのプログラムを実行するために必要なデータを記憶する。ＲＡＭは、ＣＰＵがプログラムを実行する際の作業領域である。
【００１８】
記憶部１１は、例えばハードディスク装置や不揮発メモリ等の記憶装置で構成されている。この記憶部１１には、優先度テーブル１１ａ、及び提示方法選択テーブル１１ｂが格納されている。
【００１９】
図２は、優先度テーブル１１ａの一例を示す説明図である。優先度テーブル１１ａは、情報毎に、情報の優先度と情報の提示先となる提示部（対象提示部）との関係を規定したテーブル（第１のテーブル）である。同図において、「Ａ」〜「Ｇ」は、ドライバに提示する各種の情報を示し、全部で７つの情報Ａ〜Ｇについての関係が示されている。ここで、優先度はその数値が小さいもの程、優先度の高い情報であることを示している。また、同図に示す例では、対象提示部に関する優先順位として、ＨＵＤ１３の方がＭＩＤ１４よりも高くなるように設定されている。
【００２０】
制御部１０は、この優先度テーブル１１ａを参照することで、各情報Ａ〜Ｇについて、優先度と対象提示部とを把握することができる。例えば、情報Ａは、優先度が「１」で（最も優先度の高い情報）、その情報の対象提示先がＨＵＤ１３であることが分かる。
【００２１】
図３は、提示方法選択テーブル１１ｂの一例を示す説明図である。提示方法選択テーブル１１ｂは、入力部１２に入力される複数の情報のパターン（組み合わせ）毎に、情報の提示方法を規定したテーブル（第２のテーブル）である。同図に示す例では、入力部１２に入力される複数の情報を２つとし、２つの情報のパターン（組み合わせ）毎に、情報の提示方法を規定している。
【００２２】
情報の提示方法は、（１）２つの情報のなかで提示対象とする情報、（２）当該情報についての対象提示部、（３）当該情報についての提示態様で定義されている。
【００２３】
提示方法選択テーブル１１ｂに規定される情報の提示方法は、２つの情報の入力態様と、個々の情報についての優先度及び対象提示部とに応じて決定されている。本実施形態では、２つの情報の入力態様は、これらの情報が入力部１２に同時期に入力されたことを想定している。そして、情報の提示方法は、２つの情報の優先度の差、対象提示部が同じか異なるかといったことを考慮した上で決定される。さらに、個々の情報の提示態様（表示態様）が似ているか否か、その情報を簡易表現してもドライバが認識できるかどうか、といった要素も考慮される。
【００２４】
このような考慮を前提に、図３に示す提示方法選択テーブル１１ｂは、以下に示すように情報の提示方法が規定されている。まず、入力部１２に入力した２つの情報のなかで、最も優先度の高い情報（優先度「１」）については、優先度テーブル１１ａに規定の内容に則った提示方法（通常の提示方法）で情報の提示を行う。これに対して、この情報よりも優先度の低い情報については、対象提示部及び当該情報についての提示態様の少なくとも一方を通常の提示方法から変更して情報の提示を行う。
【００２５】
例えば、最も優先度の高い２つの情報Ａ，Ｂが入力された場合には、通常の提示方法でそれぞれ提示される。すなわち、個々の情報Ａ，Ｂは、ＨＵＤ１３から通常の提示態様（すなわち、各情報Ａ，Ｂが個別的に入力された際の提示態様）で提示される。同様に、最も優先度の高い２つの情報Ａ，Ｃが入力された場合には、通常の提示方法でそれぞれ提示される。すなわち、一方の情報Ａは、ＨＵＤ１３から通常の提示態様で提示され、他方の情報Ｃは、ＭＩＤ１４から通常の提示態様で提示される。
【００２６】
これに対して、最も優先度の高い情報Ａと、優先度の低い情報Ｄとが入力された場合には、情報Ａについては通常の提示方法で提示され、情報Ｄについては通常の提示方法から変更した提示方法で提示される。具体的には、情報Ａは、ＨＵＤ１３から通常の提示態様で提示され、他方の情報Ｄは、通常の対象提示部であるＨＵＤ１３から、通常の提示態様よりも簡易化された簡易表現の提示態様で提示される。同様に、最も優先度の高い情報Ｂと、優先度の低い情報Ｅとが入力された場合には、情報Ｂについては通常の提示方法で提示され、情報Ｅについては通常の提示方法から変更した提示方法で提示される。具体的には、情報ＢはＨＵＤ１３から通常の提示態様で提示され、他方の情報Ｅは、変更した対象提示部であるＨＵＤ１３から簡易表現の提示態様で提示される。ここで、図３において、小文字で示すアルファベットは、その情報を簡易表現による提示態様とすることを示している。
【００２７】
また、最も優先度の高い情報Ａと、優先度の低い情報Ｆとが入力された場合には、情報Ａについては通常の提示方法で提示され、情報Ｆについては通常の提示方法から変更した提示方法で提示される。具体的には、情報Ａは、ＨＵＤ１３から通常の提示態様で提示され、他方の情報Ｆは、ＨＵＤ１３から提示されない。このように、対象提示部及び提示態様の変更には、当該情報を提示しないことも含まれる。
【００２８】
入力部１２は、制御部１０と車両側の各種制御装置（ＥＣＵ：Electric Control Unit）等との間の通信を行うためのインターフェースであり、例えばＣＡＮ（Controller Area Network）規格に対応している。この入力部１２を介して、ドライバに提示する情報が入力される。
【００２９】
ここで、ドライバに提示する情報としては、車両の横滑り警報、シートベルト解離警報、前方衝突警報、ＥＴＣゲート接近警報、燃料低下警報等に関する情報が挙げられる。
【００３０】
ＨＵＤ１３は、ドライバに情報を提示する提示部であり、具体的には、ウインドシールドやコンバイナに映像を投影することにより、虚像による遠方表示を通じて所定の情報をドライバに視認させる装置である。ドライバは、ＨＵＤ１３から照射される光の像と、ウインドシールドを通して見える車両前方の風景とを重ね合わせた状態で同時に視認することができる。
【００３１】
ＭＩＤ１４は、ドライバに情報を提示する提示部であり、具体的には、メータユニットにおいて各種の計器とともに配設され、所定の情報を表示するディスプレイである。
【００３２】
本実施形態の特徴の一つとして、制御部１０は、入力部１２に入力された情報に基づいて、２つの提示部であるＨＵＤ１３及びＭＩＤ１４の少なくとも一方を制御して情報の提示を行う。具体的には、制御部１０は、入力部１２に１つの情報が入力された場合には、優先度テーブル１１ａに基づいて対象提示部を決定し、当該対象提示部を介して情報の提示を行う。一方、制御部１０は、入力部１２に２つの情報が同時期に入力された場合には、最も優先度の高い情報については、優先度テーブル１１ａに規定の内容に則った提示方法を決定し、当該決定した提示方法に従って情報を提示する。一方、制御部１０は、優先度の低い情報（最も優先度の高い情報よりも優先度の低い情報）については、当該情報の優先度及び対象提示部に基づいて提示方法を決定し、当該決定した提示方法に従って情報を提示する。特に、本実施形態では、制御部１０は、提示方法選択テーブル１１ｂに基づいて個々の情報の提示方法を決定し、当該決定した情報の提示方法に従って情報の提示を行う。
【００３３】
図４は、本実施形態に係る車両用情報提示装置１の情報提示に関する処理を示すフローチャートである。このフローチャートに示す処理は、制御部１０によって実行される。
【００３４】
まず、ステップ１０（Ｓ１０）において、制御部１０は、入力部１２に情報が入力されたか否かを判断する。入力部１２に情報が入力された場合には、ステップ１０において肯定判定され、ステップ１１（Ｓ１１）に進む。一方、入力部１２に情報が入力されていない場合には、ステップ１０において否定判定され、ステップ１０に戻る。
【００３５】
ステップ１１において、制御部１０は、入力部１２に入力された情報が複数か否かを判断する。入力された情報が複数である場合には、ステップ１１において肯定判定され、ステップ１３（Ｓ１３）に進む。一方、入力された情報が一つである場合には、ステップ１１において否定判定され、ステップ１２（Ｓ１２）に進む。なお、入力された情報が複数か否かを判断するにあたり、個々の情報の入力タイミングが厳密に一致している必要は無く、個々の情報の入力タイミングに多少のずれが存するものであってもよい。
【００３６】
ステップ１２において、制御部１０は、優先度テーブル１１ａに基づいて情報の提示を行う。具体的には、制御部１０は、優先度テーブル１１ａに基づいて提示方法（対象提示部及び提示態様）を決定し、当該決定した提示方法で情報の提示を行う。例えば、情報Ａが入力された場合には、その情報がＨＵＤ１３を介して通常の提示態様で提示される。
【００３７】
ステップ１３において、制御部１０は、提示方法選択テーブル１１ｂに基づいて情報の提示方法を決定し、当該決定した提示方法に従って情報の提示を行う。例えば、最も優先度の高い２つの情報Ａ，Ｂが入力された場合には、通常の提示方法がそれぞれ決定され、２つの情報Ａ，Ｂは、ＨＵＤ１３から通常の提示態様で提示される。あるいは、最も優先度の高い情報Ａと、優先度の低い情報Ｂとが入力された場合には、情報Ａについては通常の提示方法が決定され、情報Ｂについては通常の提示方法から変更した提示方法が決定される。そして、情報Ａは、ＨＵＤ１３から通常の提示態様で提示され、他方の情報Ｂは、ＨＵＤ１３から簡易表現の提示態様で提示される。
【００３８】
このように本実施形態において、車両用情報提示装置１は、それぞれがドライバに情報を提示する２つの提示部であるＨＵＤ１３，ＭＩＤ１４と、ドライバに提示する情報が入力される入力部１２と、入力部１２に入力される情報毎に、優先度と、２つの提示部のなかで情報の提示先となる対象提示部との関係を規定した優先度テーブル１１ａと、優先度テーブル１１ａに基づいて、入力部１２に入力された情報を提示する制御部１０とを有している。この場合において、制御部１０は、入力部１２に複数の情報が入力された場合には、複数の情報の入力態様と、個々の情報についての優先度及び対象提示部とに基づいて、複数の情報についての提示方法をそれぞれ決定している。
【００３９】
特に、複数の情報が入力部１２に同時期に入力された場合には、制御部１０は、複数の情報の中で最も優先度の高い情報については、優先度テーブル１１ａに規定の内容に則った提示方法を決定し、優先度の低い情報については、当該情報の優先度及び対象提示部に基づいて提示方法を決定し、当該決定した提示方法に従って情報を提示している。
【００４０】
この構成によれば、複数の情報が同時期に入力されるシーンにおいて、個々の情報の提示方法を適切に決定することができる。すなわち、複数の情報の優先度や対象提示部に応じて、最も優先度の高い２つの情報を提示したり、或いは、優先度が２番目以降の情報も併せて提示したり、これとは逆に、優先度が２番目以降の情報を提示しなかったりすることができる。このため、情報が複数あっても必要な情報（最も優先度の高い情報）は全て提示されることとなる。また、優先度が２番目以降の情報であっても、提示することが必要な情報についてはこれが提示されるため、ドライバはより安全な運転を行うことができる。一方、優先度が２番目以降の情報であって、提示することが不必要な情報についてはこれが提示されないため、ドライバはより快適に運転を行うことができる。このように、複数の情報の入力態様と、個々の情報についての優先度及び対象提示部とを考慮することで、車両のドライバに対して必要な情報を適切に提示することができる。
【００４１】
すなわち、従来の手法によれば、複数の情報の優先度がほぼ同じであるように、残余の情報も提示した方がよいと考えられる場合であっても、その情報が提示されることがない。また、最も優先度の高い情報以外の情報については、情報の入力があることのみを表示するだけであるから、ドライバによってはその内容が何であるかが気になり、運転に対する注意力が散漫になる可能性があるが、本実施形態によれば、このような不都合を解決することができる。
【００４２】
また、本実施形態において、車両用情報提示装置１は、複数の情報についてのパターン毎に、各情報についての優先度及び前記対象提示部に応じた情報の提示方法を規定した提示方法選択テーブル１１ｂをさらに有している。この場合、制御部１０は、提示方法選択テーブル１１ｂから提示態様を決定している。
【００４３】
この構成によれば、予めルールが定められた提示方法選択テーブル１１ｂを参照することで、個々の情報の提示方法を決定することができる。これにより、情報の提示方法を効率的に決定することができるとともに、演算負荷の軽減を図ることができる。
【００４４】
また、本実施形態において、提示方法選択テーブル１１ｂは、複数の情報のなかで提示対象とする情報と、当該情報について対象提示部と、当該情報についての提示態様とを規定している。
【００４５】
この構成によれば、複数の情報が入力された場合における、これらの情報の適切な提示方法を規定することができる。
【００４６】
また、本実施形態において、制御部１０は、優先度の低い情報については、当該情報について提示を行う提示部及び当該情報についての提示態様の少なくとも一方を通常の提示方法から変更して情報の提示を行う。
【００４７】
これにより、優先度の低い情報であっても、提示することが必要となる情報については提示されるため、ドライバはより安全な運転を行うことができる。一方、優先度が低い情報であって、提示することが不必要な情報については提示されなかったり、その対象提示部や提示態様が変更されたりする。そのため、必要な情報のみがドライバに提示されるので、ドライバはより快適に運転を行うことができる。これにより、車両のドライバに対して必要な情報を適切に提示することができる。
【００４８】
（第２の実施形態）
以下、第２の実施形態に係る車両用情報提示装置１について説明する。以下、第１の実施形態と共通する点については説明を省略し、相違点を中心に説明を行う。
【００４９】
本実施形態において、制御部１０は、２つの情報の入力態様と、個々の情報についての優先度及び対象提示部とに応じて情報の提示方法を決定している。本実施形態では、２つの情報の入力態様は、入力部１２に情報が入力された際に、当該情報よりも先行して入力部１２に入力した情報があり、この先行する情報についての情報提示がなされていることを想定している。そして、情報の提示方法は、２つの情報の優先度の差、対象提示部が同じか異なるかといったことを考慮した上で決定される。
【００５０】
具体的には、制御部１０は、入力部１２に情報（以下「情報Ａ」という）が入力された際に、この情報Ａよりも先行して入力部１２に入力した情報（以下「情報Ｂ」という）についての情報提示がなされているか否かを判断する。すなわち、制御部１０は、２つの情報Ａ，Ｂについての情報提示のタイミングが重複するか否かを判断している。
【００５１】
情報Ｂについての情報提示がなされている場合には、制御部１０は、優先度及び対象提示部に基づいて２つの情報Ａ，Ｂの提示方法を決定し、当該決定した提示方法に従って情報提示を行う。一方、情報Ｂについての情報提示がなされていない場合には、制御部１０は、通常の提示方法で、情報Ａの提示を行う。
【００５２】
図５は、２つの情報Ａ，Ｂについての提示方法を示す説明図である。同図（ａ）に示す例では、情報Ａの優先度が情報Ｂの優先度よりも高く、情報Ａの対象提示部が提示部α、情報Ｂの対象提示部が提示部βであることを想定している。同図（ｂ）の例では、情報Ａの優先度が情報Ｂの優先度よりも低く、情報Ａの対象提示部が提示部α、情報Ｂの対象提示部が提示部βであることを想定している。
【００５３】
同図（ａ）の例では、制御部１０は、優先度が高い情報Ａを即座に提示しつつ、先行する情報Ｂの提示が終了しないように、情報Ａ，Ｂの提示方法を決定する。具体的には、制御部１０は、提示部βにおける情報Ｂの提示を継続しつつ、情報Ａの入力に応答して提示部αから情報Ａを提示する。
【００５４】
一方、同図（ｂ）の例では、制御部１０は、先行して提示されている優先度の高い情報Ｂの提示が終了せず、かつ、それより後で入力されてかつ優先度の低い情報Ａと同時に提示されることがないように提示方法を決定する。具体的には、制御部１０は、情報Ａの入力があっても、提示部βにおける情報Ｂの提示を継続する。そして、制御部１０は、提示部βによる情報Ｂの提示が満了した後に、提示部αから情報Ａを提示する。
【００５５】
図６は、２つの情報Ａ，Ｂについての提示方法を示す説明図である。同図（ａ）に示す例では、情報Ａの優先度が情報Ｂの優先度よりも高く、情報Ａ，Ｂの対象提示部がともに提示部αであることを想定している。同図（ｂ）に示す例では、情報Ａの優先度が情報Ｂの優先度よりも低く、情報Ａ，Ｂの対象提示部がともに提示部αであることを想定している。
【００５６】
同図（ａ）に示す例では、制御部１０は、情報Ｂが先行して提示されている状況であっても、優先度が高い情報Ａが提示されるように提示方法を決定する。具体的には、制御部１０は、情報Ａが入力されると、提示部αによる情報Ｂの提示を終了し、そして当該提示部αにより情報Ａを提示する。
【００５７】
一方、同図（ｂ）に示す例では、制御部１０は、先行して提示されている優先度の高い情報Ｂの提示が終了せず、かつ、それより後で入力されてかつ優先度の低い情報Ａと同時に提示されることがないように提示方法を決定する。具体的には、制御部１０は、情報Ａの入力があっても、提示部αにおける情報Ｂの提示を継続する。そして、制御部１０は、提示部αによる情報Ｂの提示が満了した後に、提示部αから情報Ａを提示する。
【００５８】
まず、情報Ａ，Ｂの優先度が同じ、情報Ａの対象提示部が提示部α、情報Ｂの対象提示部が提示部βであることを想定する。この場合においては、制御部１０は、情報Ａを即座に提示しつつ、先行する情報Ｂの提示が終了しないように、情報Ａ，Ｂの提示方法を決定する。具体的には、制御部１０は、提示部βにおける情報Ｂの提示を継続しつつ、情報Ａの入力に応答して提示部αから情報Ａを提示する。もっとも、この提示態様は、車両全体として管理されることが可能である。例えば、情報Ａが提示されている場合に、情報Ｂを提示しないといった如くである。
【００５９】
図７は、２つの情報Ａ，Ｂについての提示方法を示す説明図である。同図に示す例では、情報Ａ，Ｂの優先度が同じ、かつ、情報Ａ，Ｂの対象提示部がともに提示部αであることを想定している。この場合においては、制御部１０は、以下に示す３つの考え方に従って、提示方法を決定する。第１の考え方は、両方の情報Ａ，Ｂを提示することである。第２の考え方は、先行して提示していた情報Ｂについては一定時間表示させることである。第３の考え方は、後に入力された情報Ａを優先的に提示することである。
【００６０】
これらの考え方は、対象提示部や優先度、提示内容（提示態様）などによって考慮される。例えば、対象提示部が提示部αである場合には、第１の考え方を採用し、情報の優先度が「２」の場合には、第２の考え方を採用し、特定の２つの情報を重畳して提示する場合には、第３の考え方を採用するといった如くである。一般的には、第１の考え方、第２の考え方、第３の考え方の順番で、その考え方が適用されるが、これらは、車両全体として管理することが可能である。
【００６１】
同図（ａ）は、第１の考え方による提示方法を示すものである。この提示方法では、情報Ａが入力された場合には、提示部αに情報Ａを追加することで、情報Ａ，Ｂの両方を提示する。
【００６２】
同図（ｂ），（ｃ）は、第２の考え方による提示方法を示すものである。同図（ｃ）に示す例では、情報Ａが入力しても、情報Ｂについての提示時間が一定の時間（図中矢印の時間）に到達するまでは情報Ｂの提示を継続し、その時間が経過した後に、情報Ｂに代えて情報Ａを提示する。一方、同図（ｃ）に示す例では、情報Ａが入力した際に、情報Ｂについての提示時間が一定の時間（図中矢印の時間）を既に経過している場合には、情報Ａの入力に応じて情報Ｂに代え情報Ａを提示する。
【００６３】
同図（ｄ）は、第３の考え方による提示方法を示すものである。この提示方法では、情報Ａが入力された場合には、提示部αから提示される情報が情報Ｂから情報Ａに切り替わり、情報Ａが即座に提示される。
【００６４】
このように、本実施形態において、制御部１０は、入力部１２に情報Ａが入力された際に、当該情報よりも先行して入力部１２に入力した情報Ｂについての情報提示がなされている場合には、優先度及び対象提示部に基づいて２つの情報の提示方法を決定し、当該決定した提示方法に従って情報提示を行う。
【００６５】
この構成によれば、先行する情報Ｂに続き情報Ａが入力されるシーンにおいて、個々の情報の提示方法を適切に決定することができる。すなわち、後から入力された情報Ａを提示する際に、先行する情報Ｂも併せて提示したり、これとは逆に、先行する情報Ｂのみを提示し、その後に情報Ａを提示したりすることができる。
【００６６】
従来の手法によれば、優先度の高い情報Ａが入力されると、先行して入力されていた情報Ｂが消されてしまう。そのため、ドライバが、それまで表示されていた情報が解消されたと勘違いしてしまう可能性があるが、本実施形態によれば、このような不都合を解消することができる。
【００６７】
なお、本実施形態では、情報の提示方法を制御部１０がリアルタイムで決定する手法を説明したが、第１の実施形態に示すようにテーブルを参照して決定してもよい。また、第１の実施形態と同様に、個々の情報の提示態様（表示態様）が似ているか否か、その情報を簡易表現してもドライバが認識できるかどうか、といった要素も考慮し、その提示態様も含む提示方法を決定してもよい。
【００６８】
以上、実施形態に基づき本発明を説明したが、本発明は上記実施形態に限られるものではなく、本発明の趣旨を逸脱しない範囲で、変更を加えてもよい。例えば、上述した実施形態では、２つの提示部にて情報を提示する手法を示したが、提示部の個数は３つ以上であってもよい。また、同時に入力される情報を２つとして説明をしたが、３つ以上であってもよい。
【符号の説明】
【００６９】
１        車両用情報提示装置
１０      制御部
１１      記憶部
１１ａ    優先度テーブル
１１ｂ    提示方法選択テーブル
１２      入力部
１３      ＨＵＤ
１４      ＭＩＤ
【図１】
0006746368.tif 000002
【図２】
0006746368.tif 000003
【図３】
0006746368.tif 000004
【図４】
0006746368.tif 000005
【図５】
0006746368.tif 000006
【図６】
0006746368.tif 000007
【図７】
0006746368.tif 000008